(57)【要約】【課題】テストプラグの誤使用による遮断器の遮断を防止することができるテストターミナルを提供すること。【解決手段】電力系統の全体の停電事故を検出した場合に、所定時間の経過後に遮断器４２を遮断すると共に、停電事故の後に電力系統の自動復旧を行う自動復旧装置５０と電気的に接続され、自動復旧装置５０の試験を行うテストプラグ３０が挿入されるプラグ挿入口１２を有するテストターミナル１０であって、遮断器４２を遮断するトリップ信号を出力するトリップ回路４５に設けられる第１の接点４５ｂと、プラグ挿入口１２の内部に設けられ、テストプラグ３０がプラグ挿入口１２に挿入されたことを検知した場合に第１の接点４５ｂを開く第１のスイッチ１６と、第１の接点４５ｂに並列に設けられる第２の接点４５ｃと、第２の接点４５ｃを開閉する第２のスイッチ２８と、を備える。【選択図】図１
2011247607.tif 000002
【特許請求の範囲】
【請求項１】
電力系統の全体の停電事故を検出した場合に、所定時間の経過後に遮断器を遮断すると共に、該停電事故の後に該電力系統の自動復旧を行う自動復旧装置と電気的に接続され、該自動復旧装置の試験を行うテストプラグが挿入されるプラグ挿入口を有するテストターミナルであって、
前記遮断器を遮断するトリップ信号を出力するトリップ回路に設けられる第１の接点と、
前記プラグ挿入口の内部に設けられ、前記テストプラグが該プラグ挿入口に挿入されたことを検知した場合に前記第１の接点を開く第１のスイッチと、
前記第１の接点に並列に設けられる第２の接点と、
前記第２の接点を開閉する第２のスイッチと、
を備えるテストターミナル。
【請求項２】
前記プラグ挿入口の開口部を開閉する蓋部材と、
前記第１の接点に並列に設けられる第３の接点と、
前記蓋部材が開いたことを検知した場合に前記第３の接点を開く第３のスイッチと、
を更に備える請求項１に記載のテストターミナル。
【発明の詳細な説明】
【技術分野】
【０００１】
本発明は、テストプラグを挿入することにより自動復旧装置の試験を行うテストターミナルに関する。
【背景技術】
【０００２】
従来より、電力系統の異常を検出した場合に、所定時間の経過後に遮断器を遮断したり、停電事故の後に電力系統の自動復旧を行う機能（以下、「ＡＲＥ機能」という）を有する自動復旧装置が知られている。このような自動復旧装置には、テストプラグを挿入して遮断器等の試験を行うためのテストターミナル（テスト端子）が設けられている。
【０００３】
従来のテストターミナルとして、例えば、特許文献１に記載のものが知られている。このテストターミナルは、中性相の負荷側及び電源側導体が他の相の負荷側及び電源側導体よりも短く形成されている。そのため、テストプラグをテストターミナルに挿入するときに、中性相以外の全ての相の接触が完了した後、中性相の接触を完了することができる。その結果、特許文献１に記載のテストターミナルにおいては、テストプラグがテストターミナルに対して斜めに挿入されても、中性相での先行接触を防止することができ、地絡継電器の誤作動を防止することができる、としている。
【先行技術文献】
【特許文献】
【０００４】
【特許文献１】特開２００７−１４７３７２号公報
【発明の概要】
【発明が解決しようとする課題】
【０００５】
しかし、上記特許文献１に記載のテストターミナルは、テストターミナルが接続されている機器の不要動作を防止する手段を備えていない。つまり、上記特許文献１に記載のテストターミナルを、ＡＲＥ機能を有する自動復旧装置に適用する場合においては、遮断器の不要な遮断動作を防止する手段がない。そのため、作業者が、テストプラグをテストターミナルに誤挿入して入力電圧を開放したり、テストターミナルに挿入したテストプラグを抜き忘れた状態でＡＲＥ機能を「使用」に設定すると、遮断器が遮断し、停電が生じてしまうという問題があった。
【０００６】
本発明は、テストプラグの誤使用による遮断器の遮断を防止することができるテストターミナルを提供することを目的とする。
【課題を解決するための手段】
【０００７】
本発明は、電力系統の全体の停電事故を検出した場合に、所定時間の経過後に遮断器を遮断すると共に、該停電事故の後に該電力系統の自動復旧を行う自動復旧装置と電気的に接続され、該自動復旧装置の試験を行うテストプラグが挿入されるプラグ挿入口を有するテストターミナルであって、前記遮断器を遮断するトリップ信号を出力するトリップ回路に設けられる第１の接点と、前記プラグ挿入口の内部に設けられ、前記テストプラグが該プラグ挿入口に挿入されたことを検知した場合に前記第１の接点を開く第１のスイッチと、前記第１の接点に並列に設けられる第２の接点と、前記第２の接点を開閉する第２のスイッチと、を備えるテストターミナルに関する。
【０００８】
また、前記プラグ挿入口の開口部を開閉する蓋部材と、前記第１の接点に並列に設けられる第３の接点と、前記蓋部材が開いたことを検知した場合に前記第３の接点を開く第３のスイッチと、を更に備えることが好ましい。
【発明の効果】
【０００９】
本発明によれば、テストプラグの誤使用による遮断器の遮断を防止することができるテストターミナルを提供することができる。
【図面の簡単な説明】
【００１０】
【図１】本発明の実施形態のテストターミナルを示す側面図である。
【図２】本発明の実施形態の蓋部材及び開閉検知スイッチを示す正面図である。
【図３】本発明の実施形態の開閉検知スイッチを示す側面図である。
【図４】本発明の実施形態のトリップ回路を示す図である。
【図５】通常時におけるトリップ回路を示す図である。
【図６】本発明の実施形態のテストターミナルにテストプラグが挿入された状態を示す側面図である。
【図７】誤遮断防止時におけるトリップ回路を示す図である。
【図８】自動復旧装置の試験時におけるトリップ回路を示す図である。
【発明を実施するための形態】
【００１１】
以下に、本発明の実施形態について図１から図５を参照しながら説明する。図１は、本発明の実施形態のテストターミナルを示す側面図であり、テストプラグが挿入される前の状態を示している。図２は、本発明の実施形態の蓋部材及び開閉検知スイッチを示す正面図である。図３は、本発明の実施形態の開閉検知スイッチを示す側面図である。図３（ａ）は、蓋部材が閉じている場合の開閉検知スイッチを示す側面図であり、開閉検知スイッチの接点が閉じている状態を示す。図３（ｂ）は、蓋部材が開いている場合の開閉検知スイッチを示す側面図であり、開閉検知スイッチの接点が開いている状態を示す。図４は、本発明の実施形態のトリップ回路を示す図である。図４において、符号Ｐは電源の正極を示し、符号Ｎは電源の負極を示す。
【００１２】
本発明の実施形態のテストターミナル１０は、図１に示すように、例えば、変電所（図示せず）において、電力系統の全体の停電事故（以下、「全停事故」という）を検出した場合に、所定時間の経過後に遮断器４２を遮断すると共に、停電事故の後に電力系統（遮断器４２）の自動復旧を行う自動復旧装置５０と、電気的に接続されるものである。
【００１３】
先ず、自動復旧装置５０を備える変電所（図示せず）の概要について説明する。変電所は、図１に示すように、母線（図示せず）に設置される母線計器用変圧器４０と、母線に接続される複数の送電線（図示せず）にそれぞれ設置される送電線計器用変圧器４１と、各送電線にそれぞれ設置される遮断器４２と、自動復旧装置５０と、を備える。
【００１４】
本明細書において、母線とは、変電所内の電力線の全てを含む。また、変電所とは、送電用又は配電用変電所、屋内又は屋外変電所、常時監視制御又は断続監視制御変電所等のいずれの変電所をも含む。また、図１においては、複数の送電線にそれぞれ設置される送電線計器用変圧器及び遮断器を、説明の便宜上、送電線計器用変圧器４１及び遮断器４２として、１つのみを図示してある。
【００１５】
一般に、計器用変圧器は、数百ボルト以上の高電圧を、表示用メータやリレー等の計器類を動作させるための低電圧に変換する変圧器である。つまり、母線計器用変圧器４０は、母線の電圧（母線電圧）を所定の低電圧に変換する機器である。送電線計器用変圧器４１は、各送電線の電圧（線路電圧）を所定の低電圧に変換する機器である。
遮断器４２は、各送電線にそれぞれ設置され、電流を通電及び遮断することができる能力を有する機器である。
【００１６】
自動復旧装置５０は、母線計器用変圧器４０からの母線電圧と、各送電線に設置されている送電線計器用変圧器４１からの線路電圧とに基づいて、各遮断器４２を遮断し、又は、遮断した遮断器４２を自動復旧する。つまり、自動復旧装置５０は、ＡＲＥ機能を有する。具体的には、自動復旧装置５０は、少なくともトリップ回路４５と、入力変換器４６と、処理部４８と、ＡＲＥ機能を使用とするか不使用とするかを切り換えるスイッチ手段（図示せず）と、を備える。
【００１７】
トリップ回路４５は、遮断器４２を遮断するトリップ信号を出力する回路である。トリップ回路４５の詳細については、後述する。
【００１８】
図１に示すように、入力変換器４６は、母線計器用変圧器４０からの母線電圧と、送電線計器用変圧器４１からの線路電圧とを受け取り、これらの母線電圧及び線路電圧を低電圧に変換して処理部４８に送る。
処理部４８は、入力変換器４６から送られた母線電圧及び線路電圧に基づいて、全停事故の検出を行う。また、処理部４８は、後述するリレー部２４（図４参照）を制御する。
【００１９】
次に、トリップ回路４５について図４を参照しながら説明する。トリップ回路４５は、図４に示すように、第１のコイル１６ａ、第２のコイル２３、リレー部２４、第３のコイル２５及びトリップロック接点２６と、第１の接点４５ｂ、第２の接点４５ｃ及び第３の接点４５ｄと、トリップコイル４５ａと、を備える。
【００２０】
第１のコイル１６ａは、励磁されることにより第１の接点４５ｂを開く。第２のコイル２３は、励磁されることにより第３の接点４５ｄを開く。リレー部２４は、自動復旧装置５０の処理部４８によって制御され、第３のコイル２５を励磁する。第３のコイル２５は、励磁されることによりトリップ信号を出力する。トリップロック接点２６は、トリップ回路４５を開閉する。トリップロック接点２６は、第３のコイル２５の励磁により閉じられる接点である。
【００２１】
第１の接点４５ｂ、第２の接点４５ｃ及び第３の接点４５ｄは、トリップ回路４５を開閉する。第１の接点４５ｂ、第２の接点４５ｃ及び第３の接点４５ｄは、トリップ回路４５において並列に設けられる。トリップコイル４５ａは、並列に設けられた第１の接点４５ｂ、第２の接点４５ｃ及び第３の接点４５ｄと直列に設けられる。トリップコイル４５ａは、トリップロック接点２６が閉じられ、かつ、第１の接点４５ｂ、第２の接点４５ｃ及び第３の接点４５ｄのいずれかが閉じられたときに、励磁され、遮断器４２（図１参照）を遮断することができる。
【００２２】
次に、本発明の実施形態のテストターミナル１０について、図１から図５を参照しながら説明する。図１に示すように、テストターミナル１０は、絶縁体からなるターミナル本体部１１と、自動復旧装置５０のトリップ回路４５に設けられる第１の接点４５ｂ、第２の接点４５ｃ及び第３の接点４５ｄと、ターミナル本体部１１に設けられテストプラグ３０が挿入されるプラグ挿入口１２と、プラグ挿入口１２に設けられる一対の接触片１３，１４と、プラグ挿入口１２に設けられる回動片１５及び第１のスイッチとしての挿入検知スイッチ１６と、ターミナル本体部１１に設けられる一対の端子１７，１８と、プラグ挿入口１２の開口部１２ａを開閉する蓋部材１９と、ターミナル本体部１１に設けられる第２のスイッチとしてのＵＴＴスイッチ２８と、第３のスイッチとしての開閉検知スイッチ２０と、を備える。
【００２３】
ターミナル本体部１１は、絶縁部材からなり、その前面１１ａに、開口部１２ａ及び蓋部材支持部１１ｃ，１１ｄを有する。開口部１２ａは、ターミナル本体部１１の前面１１ａに設けられる。プラグ挿入口１２は、この開口部１２ａからターミナル本体部１１の内部に向かって凹設される。蓋部材支持部１１ｃ，１１ｄは、蓋部材１９（後述）を回動自在に支持する。
【００２４】
一対の接触片１３，１４は、導電性及び弾性を有する金属片であり、ほぼ円弧状に湾曲している。一対の接触片１３，１４は、プラグ挿入口１２において、前記円弧の凸部側が互いに向かい合い、かつ、前記円弧の頂部が当接するように配置される。つまり、一対の接触片１３，１４は、プラグ挿入口１２にテストプラグ３０が挿入されていないときには、互いに当接し、電気的に接続されるようになっている。
【００２５】
回動片１５は、プラグ挿入口１２に配置される。回動片１５は、プラグ挿入口１２と交差する方向に延びる回動軸１５ａを有する。回動片１５は、この回動軸１５ａによって回動自在に支持される。
【００２６】
挿入検知スイッチ１６は、プラグ挿入口１２に配置される。挿入検知スイッチ１６は、回動片１５によって押圧される押圧式のスイッチである。挿入検知スイッチ１６は、プラグ挿入口１２にテストプラグ３０が挿入され、回動片１５によって押圧されたときにＯＮとなる。挿入検知スイッチ１６は、トリップ回路４５の第１のコイル１６ａ（図４参照）に接続される。挿入検知スイッチ１６は、ＯＮのときに第１のコイル１６ａを励磁することにより、第１の接点４５ｂを開く。
【００２７】
一対の端子１７，１８は、例えば、ターミナル本体部１１の後面１１ｂに設けられる。端子１７は、例えば、母線計器用変圧器４０に接続される。また、端子１８は、例えば、自動復旧装置５０の入力変換器４６に接続される。また、これら一対の端子１７，１８は、前記一対の接触片１３，１４と電気的に接続される。
【００２８】
蓋部材１９は、矩形板状に構成され、回動軸１９ａを有する。回動軸１９ａは、蓋部材支持部１１ｃ，１１ｄにより回動自在に支持される。
【００２９】
開閉検知スイッチ２０は、図３に示すように、蓋部材１９の開閉に応じて接離する可動接点２１及び固定接点２２を有する。可動接点２１は、回動軸１５ａの一端に固定され、蓋部材支持部１１ｃの内部に配置される。固定接点２２は、蓋部材支持部１１ｃの内部において、可動接点２１と当接可能に配置される。可動接点２１は、図３（ａ）に示すように、蓋部材１９が閉じているときに固定接点２２と当接し、固定接点２２と電気的に接続される。また、可動接点２１は、図３（ｂ）に示すように、蓋部材１９が開いているときに固定接点２２と離間する。
【００３０】
開閉検知スイッチ２０は、トリップ回路４５の第２のコイル２３（図４参照）に接続される。開閉検知スイッチ２０は、蓋部材１９が開いたときに第２のコイル２３を励磁し、トリップ回路４５の第３の接点４５ｄ（図７参照）を開くスイッチである。
【００３１】
ＵＴＴスイッチ２８は、例えば、ターミナル本体部１１の前面１１ａに設けられる。ＵＴＴスイッチ２８は、トリップ回路４５の第２の接点４５ｃ（図４参照）に接続される。ＵＴＴスイッチ２８は、第２の接点４５ｃを開閉する。ＵＴＴスイッチ２８は、テストプラグ３０をプラグ挿入口１２に挿入して自動復旧装置５０の試験を行う際に、作業者の手動操作によって、トリップ回路４５の第２の接点４５ｃ（図７参照）を閉じるスイッチである。
【００３２】
次に、テストプラグ３０について、図１を参照しながら説明する。テストプラグ３０は、自動復旧装置５０を試験する際に、テストターミナル１０のプラグ挿入口１２に挿入されて使用される、いわゆる開放プラグである。
テストプラグ３０は、図１に示すように、絶縁板３１の両面に細長状の電極３１ａ，３１ｂを有する挿入部３２と、端子３３ａ，３３ｂを有する端子部３３と、を備える。
【００３３】
挿入部３２は、テストターミナル１０のプラグ挿入口１２に挿入されたときに、プラグ挿入口１２において当接している一対の接触片１３，１４を離間させると共に、電極３１ａを接触片１３に当接させ、かつ電極３１ｂを接触片１４に当接させる部分である。
【００３４】
端子部３３の端子３３ａ，３３ｂは、電極３１ａ，３１ｂとそれぞれ電気的に接続される。端子３３ａ及び端子３３ｂは、１組で用いられ、例えば、母線計器用変圧器４０に対応する。図１においては、この１組の端子３３ａ，３３ｂのみが示されているが、テストプラグ３０は、線路数に応じて他の組の端子（図示せず）を備えている。この他の組の端子は、例えば、送電線計器用変圧器４１に対応する。
【００３５】
次に、本実施形態のテストターミナル１０の作用について図５から図８を参照しながら説明する。図５は、通常時におけるトリップ回路４５を示す図である。ここで、通常時とは、テストターミナル１０にテストプラグ３０を挿入して自動復旧装置５０の試験を行っていない状態をいう。図６は、本発明の実施形態のテストターミナル１０にテストプラグ３０が挿入された状態を示す側面図である。図７は、誤遮断防止時におけるトリップ回路４５を示す図である。図８は、自動復旧装置５０の試験時におけるトリップ回路４５を示す図である。
【００３６】
先ず、テストターミナル１０にテストプラグ３０を挿入していない通常時の作用について図１及び図５を参照しながら説明する。
通常時においては、テストターミナル１０にテストプラグ３０が挿入されていないため、図１に示すように、蓋部材１９は閉じており、開閉検知スイッチ２０がＯＮ（図３（ａ）参照）となっていると共に、挿入検知スイッチ１６がＯＦＦとなっている。そのため、図５に示すように、トリップ回路４５の第１の接点４５ｂ及び第３の接点４５ｄは、閉じている。つまり、トリップ回路４５は、トリップ信号を出力可能な状態となっており、トリップ可能な状態となっている。
【００３７】
従って、自動復旧装置５０の処理部４８は、全停事故を検出した場合には、トリップ回路４５によりトリップ信号を出力し、該当する送電線（線路）の遮断器４２を遮断することができる。また、処理部４８は、図示しないスイッチ手段からの操作により、ＡＲＥ機能を不使用とするロック信号を受け取った場合には、トリップロック接点２６を開くことにより、該当する送電線の遮断器４２を遮断できない状態（ロック状態）にする。
【００３８】
通常時においては、自動復旧装置５０は、図示しないスイッチ手段からの操作により、ＡＲＥ機能を使用する状態（ロック解除状態）に設定される。そのため、処理部４８は、ＡＲＥ機能を使用するロック解除信号を受け取ると、トリップロック接点２６を閉じ、該当する送電線の遮断器４２を遮断できる状態にする。このような場合、従来は、ヒューマンエラーにより、テストターミナル１０にテストプラグ３０が挿入されると、入力電圧が開放されるため、自動復旧装置５０により遮断器４２が遮断され、誤停電が発生していた。また、テストターミナル１０にテストプラグ３０が挿入された状態で、ＡＲＥ機能を使用する状態（ロック解除状態）に設定した場合も同様に、自動復旧装置５０により遮断器４２が遮断され、誤停電が発生していた。
【００３９】
しかし、本実施形態のテストターミナル１０の場合、例えば、ヒューマンエラーにより、テストターミナル１０にテストプラグ３０が挿入されると（図６参照）、次のように作用する。
作業者によってテストターミナル１０の蓋部材１９が開けられ、プラグ挿入口１２にテストプラグ３０が挿入されると（図６参照）、開閉検知スイッチ２０は、可動接点２１及び固定接点２２が非接触となるため、ＯＦＦ（図３（ｂ）参照）となる。これにより、第２のコイル２３が励磁され、図７に示すように、トリップ回路４５の第３の接点４５ｄが開く。
【００４０】
また、プラグ挿入口１２の回動片１５は、図６に示すように、テストプラグ３０によって押圧されて回動し、挿入検知スイッチ１６を押圧する。これにより、挿入検知スイッチ１６がＯＮとなり、第１のコイル１６ａが励磁される。そのため、図７に示すように、トリップ回路４５の第１の接点４５ｂが開く。
【００４１】
つまり、トリップ回路４５の第３の接点４５ｄ及び第１の接点４５ｂが開くことにより、遮断器４２が遮断されない状態となる。従って、ヒューマンエラーにより、テストターミナル１０にテストプラグ３０が挿入された場合であっても、遮断器４２の遮断が防止され、誤停電が防止される。
【００４２】
次に、テストターミナル１０にテストプラグ３０を挿入して自動復旧装置５０の試験を行う場合について図６及び図８を参照しながら説明する。
テストターミナル１０にテストプラグ３０が挿入されると、前述したように、開閉検知スイッチ２０及び挿入検知スイッチ１６により、遮断器４２が遮断されない状態（自動復旧装置５０の試験ができない状態）となっている。
そのため、作業者は、図８に示すように、手動操作によってＵＴＴスイッチ２８をＯＮにし、トリップ回路４５の第２の接点４５ｃを閉じる。これにより、トリップ回路４５が閉じられ、遮断器４２は遮断可能となり、所定の試験ができるようになる。
【００４３】
具体的には、図６に示すように、テストプラグ３０がテストターミナル１０に挿入されると、テストプラグ３０の端子３３ａがテストターミナル１０の端子１７に電気的に接続され、テストプラグ３０の端子３３ｂがテストターミナル１０の端子１８に電気的に接続される。そして、例えば、テストプラグ３０の端子３３ａ，３３ｂを利用して、母線計器用変圧器４０の代わりに所定の試験信号を加えることにより、自動復旧装置５０の試験を行うことができる。
【００４４】
以上に説明した本実施形態のテストターミナル１０によれば、以下に示す各効果が奏される。
本実施形態のテストターミナル１０は、遮断器４２を遮断すると共に、停電事故の後に電力系統の自動復旧を行う自動復旧装置５０と電気的に接続され、自動復旧装置５０の試験を行うテストプラグ３０が挿入されるプラグ挿入口１２を有するテストターミナル１０であって、自動復旧装置５０のトリップ回路４５に設けられる第１の接点４５ｂと、プラグ挿入口１２の内部に設けられ、テストプラグ３０がプラグ挿入口１２に挿入されたことを検知した場合に第１の接点４５ｂを開く挿入検知スイッチ１６と、第１の接点４５ｂに並列に設けられる第２の接点４５ｃと、第２の接点４５ｃを開閉するＵＴＴスイッチ２８と、を備える。
【００４５】
そのため、テストプラグ３０がプラグ挿入口１２に挿入されたことを検知して第１の接点４５ｂを開くことにより、ヒューマンエラーによってテストターミナル１０にテストプラグ３０が挿入された場合であっても、遮断器４２が遮断されないようにすることができる。従って、ヒューマンエラーによる遮断器４２の遮断を防止することができ、誤停電を防止することができる。
【００４６】
また、本実施形態のテストターミナル１０は、プラグ挿入口１２の開口部１２ａを開閉する蓋部材１９と、第１の接点４５ｂに並列に設けられる第３の接点４５ｄと、蓋部材１９が開いたことを検知した場合に第３の接点４５ｄを開く開閉検知スイッチ２０と、を更に備える。
【００４７】
そのため、挿入検知スイッチ１６が故障した場合であっても、開閉検知スイッチ２０によって第３の接点４５ｄを開くことができる。従って、テストプラグ３０の誤使用による遮断器４２の遮断を確実に防止することができ、テストターミナル１０の信頼性を更に向上することができる。
【００４８】
また、本実施形態のテストターミナル１０によれば、従来のテストプラグ３０を何ら改良することなくそのまま使用することができるため、汎用性が高い。
【００４９】
また、既設の機器に、挿入検知スイッチ１６、蓋部材１９、開閉検知スイッチ２０、ＵＴＴスイッチ２８、第１の接点４５ｂ、第２の接点４５ｃ及び第３の接点４５ｄを付加するだけでよい。そのため、簡易な改良によって既設の機器を使用することができる。
【００５０】
以上、本発明の一実施形態について説明したが、本発明は、前述した実施形態に制限されるものではなく、適宜変更が可能である。
例えば、テストプラグ３０のプラグ挿入口１２への挿入を検知するために、テストターミナル１０は、蓋部材１９及び開閉検知スイッチ２０を備えるものとして説明したが、これに制限されず、挿入検知スイッチ１６のみを備えてもよい。
【符号の説明】
【００５１】
１０  テストターミナル
１２  プラグ挿入口
１２ａ  開口部
１６  挿入検知スイッチ（第１のスイッチ）
１９  蓋部材
２０  開閉検知スイッチ（第３のスイッチ）
２８  ＵＴＴスイッチ（第２のスイッチ）
３０  テストプラグ
４２  遮断器
４５  トリップ回路
４５ｂ  第１の接点
４５ｃ  第２の接点
４５ｄ  第３の接点
５０  自動復旧装置
【図１】
2011247607.tif 000003
【図２】
2011247607.tif 000004
【図３】
2011247607.tif 000005
【図４】
2011247607.tif 000006
【図５】
2011247607.tif 000007
【図６】
2011247607.tif 000008
【図７】
2011247607.tif 000009
【図８】
2011247607.tif 000010